(57)【要約】【課題】充電を容易に行うことができ使用者の利便性を向上する電子ペン、電子ペン用充電器および電子ペン充電システムを提供する。【解決手段】電子ペン５０は、本体ケース６０内に充電用受信コイル９１を備える。電子ペン用充電器１１０は、充電用送電コイル１２２として空芯型のコイルを備えるとともに筒型の挿入孔を備え、充電用送電コイル１２２の空芯部を挿入孔が貫通している。そして、電子ペン５０を挿入孔に挿入したときに、充電用受信コイル９１が充電用送電コイル１２２の空芯内に配置された状態で保持される。【選択図】図１３
2014203143.tif 000002
【特許請求の範囲】
【請求項１】
本体ケース内に充電用受信コイルを有するとともに、第１の受光素子および第２の受光素子を備えた電子ペンであって、
前記第１の受光素子を前記電子ペンの長手方向の一方の端部に設け、
前記第２の受光素子を前記電子ペンの長手方向の他方の端部に設けた
ことを特徴とする電子ペン。
【請求項２】
前記充電用受信コイルを、前記電子ペンの長手方向の中心から前記一方の端部寄りの位置に設けた
ことを特徴とする請求項１に記載の電子ペン。
【請求項３】
前記充電用受信コイルを、前記電子ペンの長手方向の中心から、前記一方の端部の方向に前記電子ペンの長手方向の長さの１／４までの間に設けた
ことを特徴とする請求項２に記載の電子ペン。
【請求項４】
前記一方の端部の先端部に接触スイッチを設けた
ことを特徴とする請求項１に記載の電子ペン。
【請求項５】
前記他方の端部は、集光レンズを備えた電子ペン用アタッチメントを着脱可能に装着できる形状に形成された
ことを特徴とする請求項１または請求項４に記載の電子ペン。
【請求項６】
前記電子ペンの長手方向の中心から前記他方の端部までの最大外径が、前記電子ペンの長手方向の中心から前記一方の端部までの最大外径よりも大きい
ことを特徴とする請求項１に記載の電子ペン。
【請求項７】
前記充電用受信コイルはドラムコア型のコイルである
ことを特徴とする請求項１に記載の電子ペン。
【請求項８】
充電用送電コイルと、筒型の挿入孔とを有する電子ペン用充電器であって、
前記充電用送電コイルとして空芯型のコイルを備え、
前記充電用送電コイルの空芯部を前記挿入孔が貫通した
ことを特徴とする電子ペン用充電器。
【請求項９】
電子ペンと電子ペン用充電器とを有する電子ペン充電システムであって、
前記電子ペンは、本体ケース内に充電用受信コイルを備え、
前記電子ペン用充電器は、充電用送電コイルとして空芯型のコイルを備えるとともに筒型の挿入孔を備え、前記充電用送電コイルの空芯部を前記挿入孔が貫通しており、
前記電子ペンを前記挿入孔に挿入したときに、前記充電用受信コイルが前記充電用送電コイルの空芯内に配置された状態で保持される
ことを特徴とする電子ペン充電システム。
【請求項１０】
前記電子ペンは、第１の受光素子および第２の受光素子を有し、
前記第１の受光素子を前記電子ペンの長手方向の一方の端部に設け、
前記第２の受光素子を前記電子ペンの長手方向の他方の端部に設け、
前記充電用受信コイルを、前記電子ペンの長手方向の中心から前記一方の端部寄りの位置に設けた
ことを特徴とする請求項９に記載の電子ペン充電システム。
【請求項１１】
前記電子ペンは、前記電子ペンの長手方向の中心から前記他方の端部までの最大外径が、前記電子ペンの長手方向の中心から前記一方の端部までの最大外径よりも大きく、
前記挿入孔の入り口の直径は、前記電子ペンの長手方向の中心から前記一方の端部までの最大外径よりも大きく、かつ、前記電子ペンの長手方向の中心から前記他方の端部までの最大外径よりも小さい
ことを特徴とする請求項１０に記載の電子ペン充電システム。
【請求項１２】
前記挿入孔は、前記電子ペンの長手方向の長さの略半分の深さである
ことを特徴とする請求項１１に記載の電子ペン充電システム。
【請求項１３】
前記電子ペンは、前記充電用受信コイルとしてドラムコア型のコイルを有する
ことを特徴とする請求項９から請求項１２のいずれか１項に記載の電子ペン充電システム。
【発明の詳細な説明】
【技術分野】
【０００１】
本開示は、画像表示装置に文字や図画を手書き入力する電子ペン、電子ペン用充電器および電子ペン充電システムに関する。
【背景技術】
【０００２】
画像表示装置の画像表示面に、「電子ペン」や「ライトペン」と呼ばれるペン型のポインティングデバイスを使用して、文字や図画を手書き入力することができる機能を有するものがある。
【０００３】
例えば、特許文献１には、表示画面にライトペンにより直接記入、画面表示を行う電子黒板に関する技術が開示されている。
【０００４】
特許文献２には、プラズマディスプレイパネル上の座標位置を光センサを用いて検出するプラズマディスプレイパネルの座標位置検出装置および座標位置検出方法が開示されている。
【０００５】
特許文献３には、表示部に文字等を記録する筆記具、および筆記具によって筆記された情報を電子化する技術が開示されている。また、特許文献３には、外部から無線によって充電が可能なバッテリーを有し、そのバッテリーより電力供給を受けて動作する電子ペンが開示されている。
【０００６】
特許文献４には、エンドレスシート等の記録媒体の表面に書込みを行い、その書込み内容を読み取る、会議等で用いる電子黒板装置や、プレゼンテーションを行うときに用いるプレゼンテーション装置などのライティングボード装置、および、それに用いる筆記装置が開示されている。また、特許文献４には、筆記装置の電源部に充電部と蓄電部とを備え、外部電源からアダプタを差込む方法や、携帯電話等のように筆記装置に接触端子を設けて、充電が必要なときに充電ケースに立て掛けて充電する方法、電磁誘導充電式のような無接点の充電方式により充電する方法が開示されている。
【０００７】
特許文献５には、スタイラスペンとタブレットによるデジタイザを有するペン入力パーソナルコンピュータ等のペン入力装置が開示されている。また、特許文献５には、ペン入力装置本体から、充電池を有するスタイラスペンに電力を供給して充電する技術が開示されている。
【先行技術文献】
【特許文献】
【０００８】
【特許文献１】特開平４−１４１４９８号公報
【特許文献２】特開２００１−３１８７６５号公報
【特許文献３】特開２００８−８４３１０号公報
【特許文献４】特開２００３−１３１８０３号公報
【特許文献５】特開平７−７２９６５号公報
【発明の概要】
【発明が解決しようとする課題】
【０００９】
本開示は、充電を容易に行うことができ使用者の利便性を向上する電子ペン、電子ペン用充電器および電子ペン充電システムを提供することを目的とする。
【課題を解決するための手段】
【００１０】
本開示における電子ペンは、本体ケース内に充電用受信コイルを有するとともに、第１の受光素子および第２の受光素子を備える。そして、第１の受光素子を電子ペンの長手方向の一方の端部に設け、第２の受光素子を電子ペンの長手方向の他方の端部に設ける。
【００１１】
また、本開示における電子ペンは、充電用受信コイルを、電子ペンの長手方向の中心から一方の端部寄りの位置に設けてもよい。
【００１２】
また、本開示における電子ペンは、充電用受信コイルを、電子ペンの長手方向の中心から、一方の端部の方向に電子ペンの長手方向の長さの１／４までの間に設けてもよい。
【００１３】
また、本開示における電子ペンは、一方の端部の先端部に接触スイッチを設けてもよい。
【００１４】
また、本開示における電子ペンは、他方の端部が、集光レンズを備えた電子ペン用アタッチメントを着脱可能に装着できる形状に形成されてもよい。
【００１５】
また、本開示における電子ペンは、電子ペンの長手方向の中心から他方の端部までの最大外径が、電子ペンの長手方向の中心から一方の端部までの最大外径よりも大きい形状であってもよい。
【００１６】
また、本開示における電子ペンは、充電用受信コイルがドラムコア型のコイルであってもよい。
【００１７】
本開示における電子ペン用充電器は、充電用送電コイルと、筒型の挿入孔とを有し、充電用送電コイルとして空芯型のコイルを備え、充電用送電コイルの空芯部を前記挿入孔が貫通している。
【００１８】
本開示における電子ペン充電システムは、電子ペンと電子ペン用充電器を有する。電子ペンは、本体ケース内に充電用受信コイルを備える。電子ペン用充電器は、充電用送電コイルとして空芯型のコイルを備えるとともに筒型の挿入孔を備え、充電用送電コイルの空芯部を挿入孔が貫通している。そして、電子ペンを挿入孔に挿入したときに、充電用受信コイルが充電用送電コイルの空芯内に配置された状態で保持される。
【００１９】
また、本開示における電子ペン充電システムでは、電子ペンの長手方向の中心から他方の端部までの最大外径が、電子ペンの長手方向の中心から一方の端部までの最大外径よりも大きく、挿入孔の入り口の直径は、電子ペンの長手方向の中心から一方の端部までの最大外径よりも大きく、かつ、電子ペンの長手方向の中心から他方の端部までの最大外径よりも小さくてもよい。
【００２０】
また、本開示における電子ペン充電システムは、挿入孔が、電子ペンの長手方向の長さの略半分の深さであってもよい。
【発明の効果】
【００２１】
本開示における電子ペン、電子ペン用充電器および電子ペン充電システムは、充電を容易に行うことができるので、使用者の利便性を向上するのに有効である。
【図面の簡単な説明】
【００２２】
【図１】本発明の実施の形態における画像表示システムの一構成例を概略的に示す図である。
【図２】本発明の実施の形態における画像表示装置に用いるパネルの構造の一例を示す分解斜視図である。
【図３】本発明の実施の形態における画像表示装置に用いるパネルの電極配列の一例を示す図である。
【図４】本発明の実施の形態における画像表示サブフィールドのサブフィールドＳＦ１〜ＳＦ３においてパネルの各電極に印加する駆動電圧波形の一例を概略的に示す図である。
【図５】本発明の実施の形態における座標検出サブフィールにおいてパネルの各電極に印加する駆動電圧波形の一例を概略的に示す図である。
【図６】本発明の実施の形態における電子ペンおよび電子ペン用アタッチメントの外観を示す斜視図である。
【図７】本発明の実施の形態における電子ペン用アタッチメントを装着した電子ペンの外観を示す斜視図である。
【図８】本発明の実施の形態における電子ペンの外観を示す四面図である。
【図９】本発明の実施の形態における電子ペンの内部構造を示す斜視図である。
【図１０】本発明の実施の形態における電子ペン用アタッチメントを装着した電子ペンの断面図である。
【図１１】本発明の実施の形態における電子ペンを挿入した電子ペン用充電器の外観を示す斜視図である。
【図１２】本発明の実施の形態における電子ペン用充電器の内部構造を概略的に示す透視図である。
【図１３】本発明の実施の形態における電子ペンを電子ペン用充電器に挿入したときの受信コイルと送電コイルの配置位置を概略的に示す透視図である。
【図１４】本発明の実施の形態における電子ペンの充電用電力発生部を構成する回路ブロックの一例を概略的に示す図である。
【図１５】本発明の実施の形態における電子ペン用充電器の送電側電力発生部を構成する回路ブロックの一例を概略的に示す図である。
【図１６】本発明の実施の形態における画像表示システムにおいて近接使用時の電子ペンの位置座標を検出するときの動作の一例を概略的に示す図である。
【図１７】本発明の実施の形態における画像表示システムにおいて遠隔使用時の電子ペンの位置座標を検出するときの動作の一例を概略的に示す図である。
【図１８】本発明の実施の形態における画像表示システムにおいて電子ペンの位置座標を検出するときの駆動電圧波形の一例を概略的に示す図である。
【図１９】本発明の実施の形態における画像表示システムにおいて電子ペンによる手書き入力を行うときの動作の一例を概略的に示す図である。
【図２０】本発明の実施の形態における画像表示システムにおいて電子ペンをポインタとして使用するときの動作の一例を概略的に示す図である。
【発明を実施するための形態】
【００２３】
以下、本発明の実施の形態における電子ペン充電システムについて、図面を用いて説明する。なお、以下の実施の形態では、一例として、本発明の実施の形態における電子ペンを、画像表示装置を構成要素に含む画像表示システムに用いる例を説明する。
【００２４】
（実施の形態）
図１は、本発明の実施の形態における画像表示システム１００の一構成例を概略的に示す図である。
【００２５】
本実施の形態に示す画像表示システム１００は、画像表示装置３０、描画装置４０、および電子ペン５０を構成要素に含む。そして、電子ペン５０と描画装置４０との間で無線通信を行う。図１には、１本の電子ペン５０を示しているが、画像表示システム１００は複数の電子ペン５０を備えていてもよい。
【００２６】
画像表示装置３０は、画像を表示するディスプレイデバイス、およびそのディスプレイデバイスを駆動する駆動回路を備えている。以下、ディスプレイデバイスとしてプラズマディスプレイパネル（以下、「パネル」と略記する）１０を有するプラズマディスプレイ装置を画像表示装置３０として用いる例を説明する。しかし、本実施の形態において、画像表示装置３０は、液晶や有機ＥＬ等、他のディスプレイデバイスを用いたものであってもよい。
【００２７】
描画装置４０は、受信部４２と描画部４６を備えている。
【００２８】
電子ペン５０は、第１の受光素子５２、第２の受光素子５４、接触スイッチ５３、複数（または単数）の手動スイッチ８３、同期検出部５６、座標算出部５７、送信部５８、充電用受信コイル（以下、単に「受信コイル」と記す）９１、充電用電力発生部９２、および充電式電池９３を備えている。なお、図１には、手動スイッチ８３を２つ示しているが、電子ペン５０が備える手動スイッチ８３は２つに限定されない。以下、第１の受光素子、第２の受光素子をそれぞれ単に「受光素子」とも記す。
【００２９】
また、電子ペン５０は、集光レンズ８４を備えた電子ペン用アタッチメント（以下、「アタッチメント」と記す）８０を着脱可能な状態で装着することができ、アタッチメント８０が装着されたことを検出するアタッチメント検出スイッチ８６を有する。
【００３０】
そして、電子ペン５０は、電子ペン用充電器（以下、単に「充電器」とも記す。図１には示さず）によって充電される。
【００３１】
以下、まず、画像表示装置３０について図１、図２、図３を用いて説明し、次に画像表示装置３０で発生する駆動電圧波形について図４、図５を用いて説明し、次に電子ペン５０、描画装置４０、充電器について説明する。
【００３２】
図１に示すように、画像表示装置３０は、駆動回路として、画像信号処理回路３１、データ電極駆動回路３２、走査電極駆動回路３３、維持電極駆動回路３４、タイミング発生回路３５、および各回路ブロックに必要な電源を供給する電源回路（図示せず）を備えている。そして、これらの駆動回路によりパネル１０が駆動される。
【００３３】
図２は、本発明の実施の形態における画像表示装置３０に用いるパネル１０の構造の一例を示す分解斜視図である。
【００３４】
ガラス製の前面基板１１上には、走査電極１２と維持電極１３とからなる表示電極対１４が複数形成されている。そして、表示電極対１４を覆うように誘電体層１５が形成され、その誘電体層１５上に保護層１６が形成されている。前面基板１１は画像が表示される画像表示面となる。
【００３５】
背面基板２１上にはデータ電極２２が複数形成され、データ電極２２を覆うように誘電体層２３が形成され、さらにその上に井桁状の隔壁２４が形成されている。そして、隔壁２４の側面および誘電体層２３の表面には赤色（Ｒ）に発光する蛍光体層２５Ｒ、緑色（Ｇ）に発光する蛍光体層２５Ｇ、および青色（Ｂ）に発光する蛍光体層２５Ｂが設けられている。
【００３６】
これら前面基板１１と背面基板２１とを、微小な空間を挟んで表示電極対１４とデータ電極２２とが交差するように対向配置し、前面基板１１と背面基板２１との間隙に放電空間を設け、その放電空間に放電ガスを封入する。こうして、表示電極対１４とデータ電極２２とが交差する部分に放電セルが形成される。
【００３７】
図３は、本発明の実施の形態における画像表示装置３０に用いるパネル１０の電極配列の一例を示す図である。
【００３８】
パネル１０には、第１の方向に延長されたｎ本の走査電極ＳＣ１〜ＳＣｎ（図２の走査電極１２）およびｎ本の維持電極ＳＵ１〜ＳＵｎ（図２の維持電極１３）が配列され、第１の方向に直交する第２の方向に延長されたｍ本のデータ電極Ｄ１〜Ｄｍ（図２のデータ電極２２）が配列されている。
【００３９】
以下、第１の方向を行方向（または水平方向、またはライン方向、またはｘ座標方向）と呼称し、第２の方向を列方向（または垂直方向、またはｙ座標方向）と呼称する。
【００４０】
１対の走査電極ＳＣｉ（ｉ＝１〜ｎ）および維持電極ＳＵｉと１つのデータ電極Ｄｊ（ｊ＝１〜ｍ）とが交差した領域に放電セルが１つ形成される。そして、互いに隣接する赤の放電セル、緑の放電セルおよび青の放電セルが一組となって１つの画素を構成する。
【００４１】
図１に示したように、画像信号処理回路３１には、画像信号、描画装置４０から出力される描画信号、およびタイミング発生回路３５から供給されるタイミング信号が入力される。画像信号処理回路３１は、画像信号と描画信号とを合成し、その合成後の信号にもとづき各放電セルに赤、緑、青の各階調値（１フィールドで表現される階調値）を設定する。そして、画像信号処理回路３１は、各放電セルに設定した赤、緑、青の階調値を、サブフィールド毎の点灯・非点灯を示す画像データ（発光・非発光をデジタル信号の「１」、「０」に対応させたデータのこと）に変換し、その画像データを出力する。
【００４２】
タイミング発生回路３５は、画像信号として送信されて来る信号から水平同期信号および垂直同期信号を分離し、その水平同期信号および垂直同期信号にもとづき、各回路ブロックの動作を制御する各種のタイミング信号を発生する。そして、発生したタイミング信号をそれぞれの回路ブロック（データ電極駆動回路３２、走査電極駆動回路３３、維持電極駆動回路３４、および画像信号処理回路３１等）へ供給する。
【００４３】
データ電極駆動回路３２は、画像信号処理回路３１から出力される画像データとタイミング発生回路３５から供給されるタイミング信号とにもとづいて駆動電圧波形を発生し、各データ電極Ｄ１〜Ｄｍに印加する。
【００４４】
維持電極駆動回路３４は、維持パルス発生回路、電圧Ｖｅを発生する回路（図示せず）を備え、タイミング発生回路３５から供給されるタイミング信号にもとづいて駆動電圧波形を発生し、各維持電極ＳＵ１〜ＳＵｎに印加する。
【００４５】
走査電極駆動回路３３は、傾斜波形電圧発生回路、維持パルス発生回路、走査パルス発生回路（図示せず）を備え、タイミング発生回路３５から供給されるタイミング信号にもとづいて駆動電圧波形を発生し、各走査電極ＳＣ１〜ＳＣｎに印加する。
【００４６】
次に、本実施の形態における画像表示装置３０において発生する駆動電圧波形について図４、図５を用いて説明する。
【００４７】
本実施の形態においては、１フィールドに、パネル１０に画像を表示するための複数の画像表示サブフィールドと、同期検出サブフィールドＳＦｏ、ｙ座標検出サブフィールドＳＦｙ、およびｘ座標検出サブフィールドＳＦｘとを備える。以下、画像表示サブフィールドを単にサブフィールドとも記す。
【００４８】
各画像表示サブフィールドは、初期化期間、書込み期間および維持期間を有する。
【００４９】
初期化期間における初期化動作には、「強制初期化動作」と「選択初期化動作」がある。強制初期化動作では、直前のサブフィールドでの放電の有無にかかわらず放電セルに強制的に初期化放電を発生する。選択初期化動作では、直前のサブフィールドの書込み期間で書込み放電を発生した放電セルだけに選択的に初期化放電を発生する。
【００５０】
また、画像表示サブフィールドにおいては、各サブフィールドに輝度重みをそれぞれ設定する。本実施の形態では、一例として、１フィールドに８つのサブフィールド（サブフィールドＳＦ１〜ＳＦ８）を備え、各サブフィールドにそれぞれ（１、３４、２１、１３、８、５、３、２）の輝度重みを設定する例を挙げる。
【００５１】
画像表示領域内において電子ペン５０によって示される位置（以下、「電子ペン５０の位置」とも記す）は、ｘ座標とｙ座標で表される。以下、画像表示領域内における電子ペン５０の位置を表す座標を「位置座標」と記す。ｘ座標検出サブフィールドＳＦｘ、ｙ座標検出サブフィールドＳＦｙは、画像表示領域内における電子ペン５０の位置（位置座標）のｘ座標、ｙ座標を検出するためのサブフィールドである。
【００５２】
なお、電子ペン５０によって示される位置とは、電子ペン５０の受光素子５２または受光素子５４が、後述するｘ座標検出サブフィールドＳＦｘで表示されるｘ座標検出パターンの発光およびｙ座標検出サブフィールドＳＦｙで表示されるｙ座標検出パターンの発光を検知する画像表示面内の位置のことである。
【００５３】
また、本実施の形態における画像表示システム１００では、電子ペン５０と描画装置４０との間で無線通信を行う。電子ペン５０は、電子ペン５０の内部で電子ペン５０の位置座標を算出し、算出した位置座標のデータを電子ペン５０から描画装置４０へ無線通信によって送信する。
【００５４】
電子ペン５０の内部で電子ペン５０の位置座標を算出するためには、画像表示装置３０にｙ座標検出サブフィールドＳＦｙ、ｘ座標検出サブフィールドＳＦｘが発生するタイミングを、電子ペン５０が正確に把握する必要がある。
【００５５】
同期検出サブフィールドＳＦｏはそのためのサブフィールドであり、同期検出サブフィールドＳＦｏで生じる発光を電子ペン５０が受光することで画像表示装置３０と電子ペン５０とが同期し、電子ペン５０は、位置座標を検出するための基準となる信号（座標基準信号）を電子ペン５０自らが高い精度で発生することができる。
【００５６】
なお、同期検出サブフィールドＳＦｏ、ｙ座標検出サブフィールドＳＦｙおよびｘ座標検出サブフィールドＳＦｘは、必ずしも毎フィールドに設けなくともよい。
【００５７】
図４は、本発明の実施の形態における画像表示サブフィールドのサブフィールドＳＦ１〜ＳＦ３においてパネル１０の各電極に印加する駆動電圧波形の一例を概略的に示す図である。
【００５８】
強制初期化動作を行うサブフィールドＳＦ１の初期化期間Ｐｉ１の前半部では、データ電極Ｄ１〜Ｄｍ、維持電極ＳＵ１〜ＳＵｎに、それぞれ電圧０（Ｖ）を印加する。走査電極ＳＣ１〜ＳＣｎには、電圧０（Ｖ）を印加した後に、電圧Ｖｉ１から電圧Ｖｉ２まで緩やかに上昇する上り傾斜波形電圧を印加する。
【００５９】
サブフィールドＳＦ１の初期化期間Ｐｉ１の後半部では、データ電極Ｄ１〜Ｄｍには電圧０（Ｖ）を印加し、維持電極ＳＵ１〜ＳＵｎには正の電圧Ｖｅを印加する。走査電極ＳＣ１〜ＳＣｎには、電圧０（Ｖ）から負の電圧Ｖｉ４まで緩やかに下降する下り傾斜波形電圧を印加する。
【００６０】
この強制初期化動作により、各電極上の壁電圧は、続く書込み期間Ｐｗ１での書込み動作に適した電圧に調整される。そして、初期化期間Ｐｉ１に発生する上述の駆動電圧波形が、強制初期化波形である。
【００６１】
サブフィールドＳＦ１の書込み期間Ｐｗ１では、１行目の走査電極ＳＣ１に負の電圧Ｖａの負極性の走査パルスを印加し、データ電極Ｄ１〜Ｄｍのうちの１行目において発光するべき放電セルのデータ電極Ｄｋに正の電圧Ｖｄの正極性の書込みパルスを印加する。
【００６２】
同様の書込み動作を、走査電極ＳＣ２、走査電極ＳＣ３、走査電極ＳＣ４、・・・、走査電極ＳＣｎという順番で、ｎ行目の放電セルに至るまで順次行い、サブフィールドＳＦ１の書込み期間Ｐｗ１が終了する。
【００６３】
サブフィールドＳＦ１の維持期間Ｐｓ１では、走査電極ＳＣ１〜ＳＣｎと維持電極ＳＵ１〜ＳＵｎとに、輝度重みに所定の輝度倍数を乗じた数の維持パルスを交互に印加する。直前の書込み期間Ｐｗ１において書込み放電を発生した放電セルは、輝度重みに応じた回数の維持放電が発生し、輝度重みに応じた輝度で発光する。
【００６４】
そして、維持パルスの発生後（維持期間Ｐｓ１において維持動作が終了した後）には、維持電極ＳＵ１〜ＳＵｎおよびデータ電極Ｄ１〜Ｄｍに電圧０（Ｖ）を印加したまま、走査電極ＳＣ１〜ＳＣｎに電圧０（Ｖ）から正の電圧Ｖｒまで緩やかに上昇する上り傾斜波形電圧を印加する。
【００６５】
これにより、維持放電を発生した放電セルに微弱な放電（消去放電）が発生し、放電セル内の不要な壁電荷が消去される。
【００６６】
次に、選択初期化サブフィールドについてサブフィールドＳＦ２を例に挙げて説明する。なお、本実施の形態では、サブフィールドＳＦ３以降の初期化期間Ｐｉ３〜Ｐｉ８においても、サブフィールドＳＦ２の初期化期間Ｐｉ２と同様の駆動電圧波形を各電極に印加して、選択初期化動作を行う。
【００６７】
サブフィールドＳＦ２の初期化期間Ｐｉ２では、データ電極Ｄ１〜Ｄｍには電圧０（Ｖ）を印加し、維持電極ＳＵ１〜ＳＵｎには正の電圧Ｖｅを印加する。走査電極ＳＣ１〜ＳＣｎには、放電開始電圧未満となる電圧（例えば、電圧０（Ｖ））から負の電圧Ｖｉ４まで下降する下り傾斜波形電圧を印加する。
【００６８】
この選択初期化動作により、直前のサブフィールドＳＦ１の維持期間Ｐｓ１で維持放電を発生した放電セルに微弱な初期化放電が発生し、各電極上の壁電圧は、書込み動作に適した壁電圧に調整される。直前のサブフィールドＳＦ１の維持期間Ｐｓ１に維持放電を発生しなかった放電セルでは、初期化放電は発生しない。初期化期間Ｐｉ２に発生する上述の駆動電圧波形が、選択初期化波形である。
【００６９】
次に、座標検出サブフィールドで発生する駆動電圧波形を、図５を用いて説明する。なお、座標検出サブフィールドは、同期検出サブフィールドＳＦｏ、ｙ座標検出サブフィールドＳＦｙおよびｘ座標検出サブフィールドＳＦｘの総称である。
【００７０】
図５は、本発明の実施の形態における座標検出サブフィールにおいてパネル１０の各電極に印加する駆動電圧波形の一例を概略的に示す図である。
【００７１】
同期検出サブフィールドＳＦｏは、初期化期間Ｐｉｏ、書込み期間Ｐｗｏ、および同期検出期間Ｐｏを有する。
【００７２】
初期化期間Ｐｉｏでは、画像表示サブフィールドのサブフィールドＳＦ１の初期化期間Ｐｉ１と同様の駆動電圧波形を各電極に印加して同様の強制初期化動作を行うので、説明を省略する。
【００７３】
同期検出サブフィールドＳＦｏの書込み期間Ｐｗｏでは、データ電極Ｄ１〜Ｄｍに電圧Ｖｄの書込みパルスを印加するとともに走査電極ＳＣ１〜ＳＣｎに電圧Ｖａの走査パルスを印加し、各放電セルに書込み放電を発生させる。
【００７４】
パネル１０の画像表示領域内にある全ての放電セルに書込み放電を発生し終えた後は、データ電極Ｄ１〜Ｄｍに電圧０（Ｖ）を印加する。また、走査電極ＳＣ１〜ＳＣｎには電圧Ｖｃを印加し、その後、電圧０（Ｖ）を印加する。また、維持電極ＳＵ１〜ＳＵｎへの印加電圧を電圧Ｖｅから電圧０（Ｖ）にする。本実施の形態では、この状態を、時刻ｔｏ０から時間Ｔｏ０の間、維持する。したがって、この期間は、放電セルに最後の書込み放電が発生した後、放電が発生しない状態が維持される。なお、時刻ｔｏ０は、最後の書込み放電を発生させるための走査パルスを走査電極ＳＣｎに印加した時刻である。
【００７５】
そして、本実施の形態では、時間Ｔｏ０を、後述する時間Ｔｏ１、時間Ｔｏ２、時間Ｔｏ３のいずれよりも長い時間に設定する。本実施の形態では、時間Ｔｏ０は、例えば、約５０μｓｅｃである。
【００７６】
次に、同期検出サブフィールドＳＦｏの同期検出期間Ｐｏでは、電子ペン５０における位置座標算出時の基準となる複数回の発光（同期検出用の発光）をパネル１０に生じさせる。すなわち、あらかじめ定められた所定の時間間隔（本実施の形態では、例えば、時間Ｔｏ１、時間Ｔｏ２、時間Ｔｏ３）で、パネル１０の画像表示領域内の全ての放電セルに、同期検出用の発光を生じさせる同期検出放電を複数回（本実施の形態では、例えば、４回）発生させる。
【００７７】
具体的には、時刻ｔｏ０から時間Ｔｏ０が経過した後の時刻ｔｏ１において、維持電極ＳＵ１〜ＳＵｎに電圧０（Ｖ）を印加するとともに走査電極ＳＣ１〜ＳＣｎに電圧Ｖｓｏの同期検出パルスＶ１を印加する。これにより、パネル１０の画像表示領域内にある全ての放電セルに１回目の同期検出放電が発生し、パネル１０の画像表示面の全面が発光する（１回目の同期検出用の発光）。
【００７８】
次に、時刻ｔｏ１から時間Ｔｏ１が経過した後の時刻ｔｏ２において、走査電極ＳＣ１〜ＳＣｎに電圧０（Ｖ）を印加するとともに維持電極ＳＵ１〜ＳＵｎに電圧Ｖｓｏの同期検出パルスＶ２を印加する。これにより、パネル１０の画像表示領域内にある全ての放電セルに２回目の同期検出放電が発生し、パネル１０の画像表示面の全面が発光する（２回目の同期検出用の発光）。
【００７９】
次に、時刻ｔｏ２から時間Ｔｏ２が経過した後の時刻ｔｏ３において、維持電極ＳＵ１〜ＳＵｎに電圧０（Ｖ）を印加するとともに走査電極ＳＣ１〜ＳＣｎに電圧Ｖｓｏの同期検出パルスＶ３を印加する。これにより、パネル１０の画像表示領域内にある全ての放電セルに３回目の同期検出放電が発生し、パネル１０の画像表示面の全面が発光する（３回目の同期検出用の発光）。
【００８０】
次に、時刻ｔｏ３から時間Ｔｏ３が経過した後の時刻ｔｏ４において、走査電極ＳＣ１〜ＳＣｎに電圧０（Ｖ）を印加するとともに維持電極ＳＵ１〜ＳＵｎに電圧Ｖｓｏの同期検出パルスＶ４を印加する。これにより、パネル１０の画像表示領域内にある全ての放電セルに４回目の同期検出放電が発生し、パネル１０の画像表示面の全面が発光する（４回目の同期検出用の発光）。
【００８１】
そして、電子ペン５０は、あらかじめ定められた所定の時間間隔（例えば、時間Ｔｏ１、時間Ｔｏ２、時間Ｔｏ３）で発生する複数回（例えば、４回）の同期検出用の発光を受光して座標基準信号（電子ペン５０の位置座標（ｘ座標、ｙ座標）を算出する際に基準となる信号）を作成する。
【００８２】
同期検出サブフィールドＳＦｏでは、パネル１０の画像表示面の全面が同じタイミングで一斉に光るので、電子ペン５０は、パネル１０の画像表示領域内のどの位置でこの発光を受光したとしても、同じタイミングで受光することができる。
【００８３】
本実施の形態では、例えば、時間Ｔｏ１は約４０μｓｅｃであり、時間Ｔｏ２は約２０μｓｅｃであり、時間Ｔｏ３は約３０μｓｅｃである。しかし、本発明は時間Ｔｏ０〜Ｔｏ３の各時間が何ら上述した数値に限定されるものではない。各時間は画像表示システム１００の仕様等に応じて適切に設定すればよい。
【００８４】
同期検出サブフィールドＳＦｏの同期検出期間Ｐｏにおいて、同期検出パルスＶ４の発生後（同期検出期間Ｐｏの最後）には、サブフィールドＳＦ１の維持期間Ｐｓ１の最後に行う消去動作と同様の消去動作を行う。これにより、パネル１０の画像表示領域内にある全ての放電セルに微弱な消去放電が発生する。
【００８５】
続いて、ｙ座標検出サブフィールドＳＦｙとｘ座標検出サブフィールドＳＦｘを発生する。
【００８６】
ｙ座標検出サブフィールドＳＦｙは、初期化期間Ｐｉｙとｙ座標検出期間Ｐｙを有する。
【００８７】
初期化期間Ｐｉｙでは、画像表示サブフィールドのサブフィールドＳＦ２の初期化期間Ｐｉ２と同様の駆動電圧波形を各電極に印加して同様の選択初期化動作を行うので、説明を省略する。
【００８８】
初期化期間Ｐｉｙの直前にある同期検出サブフィールドＳＦｏの同期検出期間Ｐｏでは、パネル１０の画像表示領域内にある全ての放電セルに同期検出放電が発生するので、初期化期間Ｐｉｙにおいては、それら全ての放電セルに微弱な初期化放電が発生する。これにより、パネル１０の画像表示領域内にある全ての放電セルの壁電圧が、続くｙ座標検出期間Ｐｙにおけるｙ座標検出パターン表示動作に適した壁電圧に調整される。
【００８９】
ｙ座標検出サブフィールドＳＦｙのｙ座標検出期間Ｐｙでは、まず、維持電極ＳＵ１〜ＳＵｎに電圧Ｖｅを印加し、データ電極Ｄ１〜Ｄｍに電圧０（Ｖ）を印加し、走査電極ＳＣ１〜ＳＣｎに電圧Ｖｃを印加する。
【００９０】
次に、期間Ｔｙ０の後の時刻ｔｙ０で、データ電極Ｄ１〜Ｄｍに正極性のｙ座標検出電圧Ｖｄｙを印加し、１行目の走査電極ＳＣ１に電圧Ｖａｙの負極性のｙ座標検出パルスを印加する。なお、図５では、ｙ座標検出パルスのパルス幅をＴｙ１として示している。
【００９１】
ｙ座標検出電圧Ｖｄｙを印加したデータ電極Ｄ１〜Ｄｍと、電圧Ｖａｙのｙ座標検出パルスを印加した走査電極ＳＣ１との交差部にある１行目の放電セルでは、放電が発生する。以下、この放電を「ｙ座標検出放電」とも記す。
【００９２】
このようにして、１行目を構成する全ての放電セルに放電が発生し、それらの放電セルが一斉に発光する。そして、この発光は、ｙ座標検出のための発光となる。
【００９３】
以下、１つの行を構成する放電セルの集合体を「放電セル行」と記し、１つの行を構成する画素の集合体を「画素行」と記す。本実施の形態では、放電セル行と画素行とは実質的に同じものであり、上述の動作では、１行目の画素行（１行目の放電セル行）が一斉に発光する。
【００９４】
次に、データ電極Ｄ１〜Ｄｍにｙ座標検出電圧Ｖｄｙを印加したまま、２行目の走査電極ＳＣ２に電圧Ｖａｙのｙ座標検出パルスを印加する。これにより、２行目の画素行（２行目の放電セル行）にｙ座標検出のための発光が生じる。
【００９５】
同様の動作を、データ電極Ｄ１〜Ｄｍにｙ座標検出電圧Ｖｄｙを印加したまま、走査電極ＳＣ３、走査電極ＳＣ４、・・・、走査電極ＳＣｎという順番で、ｎ行目の放電セルに至るまで順次行い、３行目からｎ行目（例えば、１０８０行目）までの各画素行（放電セル行）にｙ座標検出のための発光を順次発生させる。
【００９６】
これにより、ｙ座標検出サブフィールドＳＦｙのｙ座標検出期間Ｐｙでは、発光する１本の横線（すなわち、発光する１つの画素行）が、パネル１０の画像表示領域の上端部（１行目の画素行）から下端部（ｎ行目の画素行）まで１行ずつ順次移動するパターン（ｙ座標検出パターン）が表示される。
【００９７】
以下、このｘ座標方向に延長した発光する１本の横線を、「第１の発光線」とも記す。すなわち、このｙ座標検出パターンは、ｘ座標方向に延長した第１の発光線がｙ座標方向に順次移動する（画像表示領域の１行目からｎ行目までの各画素行が、１行毎に順次発光する）パターンである。
【００９８】
パネル１０にｙ座標検出パターンを表示すると、画像表示領域の１行目からｎ行目までの各画素行が、１行毎に順次発光するので、電子ペン５０の位置座標がパネル１０の画像表示領域内のどこにあるかによって、電子ペン５０がこの発光を受光するタイミングは変化する。電子ペン５０でこの発光がいつ受光されたのか、その受光タイミングを検出することで、画像表示領域における電子ペン５０の位置座標（ｘ、ｙ）のｙ座標が検出される。
【００９９】
本実施の形態では、走査電極ＳＣ１〜ＳＣｎのそれぞれにｙ座標検出パルスを印加する時間をＴｙ１とする。このＴｙ１は、例えば、約１μｓｅｃである。
【０１００】
続くｘ座標検出サブフィールドＳＦｘは、初期化期間Ｐｉｘとｘ座標検出期間Ｐｘを有する。
【０１０１】
初期化期間Ｐｉｘでは、画像表示サブフィールドのサブフィールドＳＦ１の初期化期間Ｐｉ１と同様の駆動電圧波形を各電極に印加して同様の強制初期化動作を行うので、説明を省略する。
【０１０２】
ｘ座標検出サブフィールドＳＦｘの初期化期間Ｐｉｘでは、パネル１０の画像表示領域内にある全ての放電セルに初期化放電が発生する。これにより、パネル１０の画像表示領域内にある全ての放電セルの壁電圧が、続くｘ座標検出期間Ｐｘにおけるｘ座標検出パターン表示動作に適した壁電圧に調整される。
【０１０３】
ｘ座標検出サブフィールドＳＦｘのｘ座標検出期間Ｐｘでは、まず、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧Ｖｃを印加する。
【０１０４】
次に、期間Ｔｘ０の後の時刻ｔｘ０で、走査電極ＳＣ１〜ＳＣｎに負極性のｘ座標検出電圧Ｖａｘを印加し、１〜３列目のデータ電極Ｄ１〜Ｄ３に電圧Ｖｄｘの正極性のｘ座標検出パルスを印加する。なお、図５では、ｘ座標検出パルスのパルス幅をＴｘ１として示している。
【０１０５】
なお、データ電極Ｄ１〜Ｄ３は、１つの画素を構成する赤の放電セル、緑の放電セル、青の放電セルに対応しており、この画素は、例えば画像表示領域の左端に配置された画素である。
【０１０６】
電圧Ｖｄｘのｘ座標検出パルスを印加したデータ電極Ｄ１〜Ｄ３と、ｘ座標検出電圧Ｖａｘを印加した走査電極ＳＣ１〜ＳＣｎとの交差部にある１〜３列目の放電セルでは、放電が発生する。以下、この放電を「ｘ座標検出放電」とも記す。
【０１０７】
このようにして、１列目を構成する全ての画素に放電が発生し、それらの画素が一斉に発光する。そして、この発光は、ｘ座標検出のための発光となる。
【０１０８】
以下、１つの列を構成する放電セルの集合体を「放電セル列」と記す。また、互いに隣接する３列の放電セル列で構成される放電セルの集合体（画素の列）を「画素列」と記す。上述の動作では、１列目の画素列（すなわち、１列目、２列目および３列目の放電セル列）が一斉に発光する。
【０１０９】
次に、走査電極ＳＣ１〜ＳＣｎにｘ座標検出電圧Ｖａｘを印加したまま、４列目〜６列目のデータ電極Ｄ４〜Ｄ６に電圧Ｖｄｘのｘ座標検出パルスを印加する。これにより、２列目の画素列（４列目、５列目および６列目の放電セル列）にｘ座標検出のための発光が生じる。
【０１１０】
同様の動作を、走査電極ＳＣ１〜ＳＣｎにｘ座標検出電圧Ｖａｘを印加したまま、データ電極Ｄ７〜Ｄ９、データ電極Ｄ１０〜Ｄ１２、・・・、データ電極Ｄｍ−２〜Ｄｍという順番で、互いに隣接する３本のデータ電極２２毎に、ｍ列目の放電セルに至るまで順次行い、３列目から最終列目（例えば、１９２０列目）までの各画素列にｘ座標検出のための発光を順次発生させる。
【０１１１】
これにより、ｘ座標検出サブフィールドＳＦｘのｘ座標検出期間Ｐｘでは、発光する１本の縦線（すなわち、発光する１つの画素列）が、パネル１０の画像表示領域の左端部（１列目の画素列）から右端部（ｍ／３列目の画素列）まで１列ずつ順次移動するパターン（ｘ座標検出パターン）が表示される。すなわち、このｘ座標検出パターンは、画像表示領域の１列目から最終列目までの各画素列が、１列毎に順次発光するパターンである。言い換えると、このｘ座標検出パターンとは、互いに隣接する３つの放電セル列が、画像表示領域の左端部（１列目）から右端部（ｍ列目）まで、３列ずつ順次発光するパターンである。
【０１１２】
以下、このｙ座標方向に延長した発光する１本の縦線を、「第２の発光線」とも記す。すなわち、このｘ座標検出パターンは、ｙ座標方向に延長した第２の発光線がｘ座標方向に移動するパターンである。
【０１１３】
パネル１０にｘ座標検出パターンを表示すると、画像表示領域の１列目から最終列目までの各画素列が、１列毎に順次発光するので、電子ペン５０の位置座標がパネル１０の画像表示領域内のどこにあるかによって、電子ペン５０がこの発光を受光するタイミングは変化する。電子ペン５０でこの発光がいつ受光されたのか、その受光タイミングを検出することで、画像表示領域における電子ペン５０の位置座標（ｘ、ｙ）のｘ座標が検出される。
【０１１４】
本実施の形態では、データ電極Ｄ１〜Ｄｍのそれぞれにｘ座標検出パルスを印加する時間をＴｘ１とする。このＴｘ１は、例えば、約１μｓｅｃである。
【０１１５】
なお、図示はしないが、例えば、１フィールドに、近接用ｙ座標検出サブフィールドＳＦｙ１と遠隔用ｙ座標検出サブフィールドＳＦｙ２の２つのｙ座標検出サブフィールドＳＦｙと、近接用ｘ座標検出サブフィールドＳＦｘ１と遠隔用ｘ座標検出サブフィールドＳＦｘ２の２つのｘ座標検出サブフィールドＳＦｘを設けてもよい。
【０１１６】
そして、近接用ｙ座標検出サブフィールドＳＦｙ１では、図５に示したｙ座標検出サブフィールドＳＦｙと同様に、第１の発光線（発光する１本の画素行）が画像表示領域の上端部（１行目の画素行）から下端部（ｎ行目の画素行）まで１行ずつ順次移動するｙ座標検出パターンをパネル１０に表示する。遠隔用ｙ座標検出サブフィールドＳＦｙ２では、隣接する複数本（例えば、８本）の画素行が同時に発光する「第３の発光線」が画像表示領域の上端部（１行目の画素行）から下端部（ｎ行目の画素行）まで８行ずつ順次移動するｙ座標検出パターンをパネル１０に表示する。遠隔用ｙ座標検出サブフィールドＳＦｙ２は、近接用ｙ座標検出サブフィールドＳＦｙ１と比較して、位置座標の検出精度は粗くなるが、ｙ座標検出パターンの発光輝度が増加する。
【０１１７】
また、近接用ｘ座標検出サブフィールドＳＦｘ１では、図５に示したｘ座標検出サブフィールドＳＦｘと同様に、第２の発光線（発光する１本の画素列）が画像表示領域の左端部（１列目の画素列）から右端部（ｍ／３列目の画素列）まで１列ずつ順次移動するｘ座標検出パターンをパネル１０に表示する。遠隔用ｘ座標検出サブフィールドＳＦｘ２では、隣接する複数本（例えば、８本）の画素列が同時に発光する「第４の発光線」が画像表示領域の左端部（１列目の画素列）から右端部（ｍ／３列目の画素列）まで８列ずつ順次移動するｘ座標検出パターンをパネル１０に表示する。なお、この例では、第４の発光線は、隣接する２４本の放電セル列が同時に発光することになる。遠隔用ｘ座標検出サブフィールドＳＦｘ２は、近接用ｘ座標検出サブフィールドＳＦｘ１と比較して、位置座標の検出精度は粗くなるが、ｘ座標検出パターンの発光輝度が増加する。
【０１１８】
上述の例では、第３の発光線は第１の発光線の約８倍の輝度で発光し、第４の発光線は第２の発光線の約８倍の輝度で発光する。したがって、第１の発光線および第２の発光線を検出できない距離までパネル１０から離れた位置にある電子ペン５０においても、第３の発光線によるｙ座標検出パターンおよび第４の発光線によるｘ座標検出パターンを検出することが可能になる。
【０１１９】
したがって、この例では、電子ペン５０がパネル１０に接触可能な近接した位置にあるときは、位置座標の検出精度が相対的に高い近接用のｙ座標検出サブフィールドＳＦｙ１およびｘ座標検出サブフィールドＳＦｘ１によって位置座標を検出し、電子ペン５０がパネル１０から離れた位置にあるときは、発光輝度が相対的に高い遠隔用のｙ座標検出サブフィールドＳＦｙ２およびｘ座標検出サブフィールドＳＦｘ２によって位置座標を検出することが可能になる。
【０１２０】
なお、上述と同様の考え方にもとづいて、ｙ座標検出パターンの発光輝度が互いに異なる３つ以上のｙ座標検出サブフィールドＳＦｙ、およびｘ座標検出パターンの発光輝度が互いに異なる３つ以上のｘ座標検出サブフィールドＳＦｘを１フィールドに設けてもよい。
【０１２１】
以上が、同期検出サブフィールドＳＦｏ、ｙ座標検出サブフィールドＳＦｙおよびｘ座標検出サブフィールドＳＦｘの駆動電圧波形の概要である。
【０１２２】
なお、本実施の形態において各電極に印加する電圧値は、例えば、電圧Ｖｉ１＝１５０（Ｖ）、電圧Ｖｉ２＝３５０（Ｖ）、電圧Ｖｉ３＝２００（Ｖ）、電圧Ｖｉ４＝−１７５（Ｖ）、電圧Ｖａ＝電圧Ｖａｙ＝電圧Ｖａｘ＝−２００（Ｖ）、電圧Ｖｃ＝−５０（Ｖ）、電圧Ｖｓ＝電圧Ｖｓｏ＝２０５（Ｖ）、電圧Ｖｒ＝２０５（Ｖ）、電圧Ｖｅ＝１５５（Ｖ）、電圧Ｖｄ＝電圧Ｖｄｙ＝電圧Ｖｄｘ＝５５（Ｖ）である。
【０１２３】
また、初期化期間Ｐｉ１、Ｐｉｏ、Ｐｉｘに発生する上り傾斜波形電圧の勾配は約１．５（Ｖ／μｓｅｃ）であり、初期化期間Ｐｉ１〜Ｐｉ８、Ｐｉｏ、Ｐｉｙ、Ｐｉｘに発生する下り傾斜波形電圧の勾配は約−２．５（Ｖ／μｓｅｃ）である。また、維持期間Ｐｓ１〜Ｐｓ８、同期検出期間Ｐｏに発生する上り傾斜波形電圧の勾配は約１０（Ｖ／μｓｅｃ）である。
【０１２４】
なお、本実施の形態において、上述した電圧値や勾配等の具体的な数値は単なる一例に過ぎない。各電圧値や勾配等は、パネル１０の放電特性や画像表示装置３０の仕様等にもとづき最適に設定することが望ましい。
【０１２５】
なお、時間Ｔｏ０を、時間Ｔｏ１、Ｔｏ２、Ｔｏ３のいずれの時間よりも長い時間に設定するのは、電子ペン５０が、同期検出サブフィールドＳＦｏの書込み期間Ｐｗｏにおいて発生する書込み放電による発光を、同期検出放電による発光と誤認識することを防止するためである。
【０１２６】
次に、電子ペン５０について説明する。
【０１２７】
電子ペン５０は、棒状に形成されており、使用者が、電子ペン５０の先端部をパネル１０に直接接触させて（近接使用）、あるいは、パネル１０から離れた位置から（遠隔使用）、画像表示装置３０の画像表示領域に、文字や図画等を手書き入力したり（ペン機能）カーソルを表示する（ポインタ機能）ときに使用される。
【０１２８】
電子ペン５０は、図１に示したように、受光素子５２、５４、接触スイッチ５３、複数（または単数）の手動スイッチ８３、同期検出部５６、座標算出部５７、送信部５８、アタッチメント検出スイッチ８６、受信コイル９１、充電用電力発生部９２、および充電式電池９３を備えている。
【０１２９】
なお、図１には示していないが、電子ペン５０は、電源スイッチ、パイロットランプ等も有する。電源スイッチは、電子ペン５０の電源オン・オフを制御するためのスイッチである。パイロットランプは、複数の発光色を切替えて発光することが可能な発光素子（例えば、ＬＥＤ等）で構成され、電子ペン５０の動作状態を発光・非発光または発光色の切替えによって表示する。
【０１３０】
アタッチメント検出スイッチ８６は、アタッチメント８０が電子ペン５０に装着されていればＳ２＝「１」を出力し、装着されていなければＳ２＝「０」を出力する。
【０１３１】
第１の受光素子５２は、電子ペン５０の長手方向の一方の端部（以下、「近接側」と記す）に設けられ、第２の受光素子５４は、電子ペン５０の長手方向の他方の端部（以下、「遠隔側」と記す）に設けられている。受光素子５２、５４は、画像表示装置３０の画像表示面に生じる発光を受光して電気信号（受光信号）に変換する。この受光信号は、受光した光の光量に応じて変化し、光量が大きいほど受光信号も大きくなる。そして、その受光信号を、同期検出部５６と座標算出部５７に出力する。なお、本実施の形態において、電子ペン５０の位置座標（ｘ、ｙ）とは、受光素子５２または受光素子５４が画像表示装置３０の画像表示面に生じる発光を受光する位置のことである。
【０１３２】
接触スイッチ５３は、電子ペン５０の受光素子５２が取付けられた側（近接側）の先端部に設けられ、電子ペン５０の近接側の先端部が画像表示装置３０の画像表示面に接触したかどうかを検知する。接触スイッチ５３は、電子ペン５０の近接側の先端部がパネル１０に接触していればオンになってＳ１＝「１」を出力し、接触していなければオフになってＳ１＝「０」を出力する。
【０１３３】
手動スイッチ８３の１つは、遠隔使用時の描画用スイッチとして用いられる。この手動スイッチ８３は、使用者によってオン・オフが切り替えられ、オンのときはＳ１’＝「１」を出力し、オフのときはＳ１’＝「０」を出力する。また、手動スイッチ８３の他の１つは、使用者の操作により描画モードＳ０（例えば描画に用いる線の色、線の太さ、線の種類、等）を任意に切り替えることができる。また、他の手動スイッチ８３には、例えば、選択ボタンとしての機能を有するものや、表示画像を拡大／縮小する機能を有するもの等がある。
【０１３４】
電子ペン５０は、集光レンズ８４を備えた電子ペン用アタッチメント（以下、単に「アタッチメント」と記す）８０を、遠隔側の先端部に装着できるように形成されている。アタッチメント８０を装着することで、電子ペン５０の受光素子５４は、パネル１０に表示される座標検出サブフィールドの発光を、画像表示装置３０から数メートル離れた位置でも受光することができるようになる。これにより、電子ペン５０を、画像表示装置３０から数メートル（例えば、８ｍ程度）離れた位置からでも使用すること（遠隔使用）が可能になる。
【０１３５】
このように、本実施の形態における電子ペン５０は、受光素子５２を設けた近接側の先端部を画像表示装置３０の画像表示面に直接接触させて使用する「近接使用」と、受光素子５４を設けた遠隔側の先端部にアタッチメント８０を装着し、集光レンズ８４をパネル１０の方向に向け、画像表示装置３０の画像表示面から離れた位置で使用する「遠隔使用」の２通りの使用が可能である。
【０１３６】
なお、電子ペン５０にアタッチメント８０を装着しないときは、受光素子５４を設けた側を、例えば、文字や図画を消去する「消去機能」に使用してもよい。
【０１３７】
同期検出部５６は、受光素子５２または受光素子５４から出力される受光信号にもとづき、同期検出サブフィールドＳＦｏの同期検出期間Ｐｏに発生する同期検出用の発光（同期検出放電によって生じる発光）を検出する。具体的には、同期検出部５６は、同期検出部５６が有するタイマー（図示せず）を用いて、複数（例えば、５回）の発光の発生間隔を計測する。そして、その発生間隔があらかじめ定められた所定の時間間隔（例えば、時間Ｔｏ０、Ｔｏ１、Ｔｏ２、Ｔｏ３）に合致するかどうかを、同期検出部５６に設定された複数のしきい値（例えば、時間Ｔｏ０、Ｔｏ１、Ｔｏ２、Ｔｏ３に相当するしきい値）と計測された時間間隔とを比較することで判定する。
【０１３８】
そして、同期検出部５６は、その連続する複数回（例えば、５回）の発光のうちの１つを基準にして座標基準信号を作成する。例えば、同期検出サブフィールドＳＦｏの同期検出期間Ｐｏの時刻ｔｏ１に発生した発光を基準にして座標基準信号を作成する。
【０１３９】
なお、時刻ｔｏ１は、同期検出サブフィールドＳＦｏの同期検出期間Ｐｏにおいて走査電極ＳＣ１〜ＳＣｎに１回目の同期検出パルスＶ１を印加する時刻である。
【０１４０】
そして、同期検出部５６は、その座標基準信号を座標算出部５７に出力する。
【０１４１】
なお、座標基準信号は、例えば、時刻ｔｙ０と時刻ｔｘ０とのそれぞれに立上りエッジがある信号のことである。時刻ｔｙ０は、ｙ座標検出サブフィールドＳＦｙのｙ座標検出期間Ｐｙにおいて１行目の走査電極ＳＣ１にｙ座標検出パルスを印加する時刻である。また、時刻ｔｘ０は、ｘ座標検出サブフィールドＳＦｘのｘ座標検出期間Ｐｘにおいて１列目の画素列に対応するデータ電極Ｄ１〜Ｄ３にｘ座標検出パルスを印加する時刻である。
【０１４２】
したがって、時刻ｔｏ１がわかれば、時刻ｔｙ０と時刻ｔｘ０とのそれぞれに立上りエッジがある座標基準信号を発生することができる。
【０１４３】
なお、本実施の形態では、時刻ｔｏ１を基準にして座標基準信号を発生する例を説明しているが、座標基準信号は、２回目の同期検出パルスＶ２を発生する時刻ｔｏ２を基準にして発生してもよく、あるいは、３回目の同期検出パルスＶ３を発生する時刻ｔｏ３や４回目の同期検出パルスＶ４を発生する時刻ｔｏ４等を基準にして発生してもよい。
【０１４４】
また、座標基準信号も、何ら時刻ｔｙ０と時刻ｔｘ０とのそれぞれに立上りエッジがある信号に限定されるものではない。座標基準信号は、ｙ座標検出パターンによる発光およびｘ座標検出パターンによる発光を受光素子５２または受光素子５４が受光したときに、その時刻を特定するための基準にすることができる信号であればよい。
【０１４５】
座標算出部５７は、時間の長さを計測するカウンタと、カウンタの出力に演算を施す演算回路とを備える（図示せず）。
【０１４６】
そして、座標算出部５７は、座標基準信号および受光信号にもとづき、ｙ座標検出パターンの発光を示す信号およびｘ座標検出パターンの発光を示す信号を受光信号から選択的に取り出し、画像表示領域における電子ペン５０の位置座標（ｘ、ｙ）を算出する。
【０１４７】
具体的には、座標算出部５７は、座標基準信号にもとづき、時刻ｔｙ０から、時刻ｔｙ０以降に最初に受光素子５２または受光素子５４で発光が受光される時刻（時刻ｔｙｙ）までの時間（時間Ｔｙｙ）をカウンタで測定する。そして、演算回路において時間Ｔｙｙを時間Ｔｙ１（ｙ座標検出パルスのパルス幅）で除算する。こうして画像表示領域における電子ペン５０の位置のｙ座標を算出する。
【０１４８】
次に、座標算出部５７は、座標基準信号にもとづき、時刻ｔｘ０から、時刻ｔｘ０以降に最初に受光素子５２または受光素子５４で発光が受光される時刻（時刻ｔｘｘ）までの時間（時間Ｔｘｘ）をカウンタで測定する。そして、演算回路において時間Ｔｘｘを時間Ｔｘ１（ｘ座標検出パルスのパルス幅）で除算する。こうして画像表示領域における電子ペン５０の位置のｘ座標を算出する。
【０１４９】
なお、時刻ｔｙｙは、電子ペン５０の受光素子５２または受光素子５４がｙ座標検出パターンによりパネル１０に生じる発光を受光した時刻であり、時刻ｔｘｘは、電子ペン５０の受光素子５２または受光素子５４がｘ座標検出パターンによりパネル１０に生じる発光を受光した時刻である。
【０１５０】
座標算出部５７は、このようにして算出した電子ペン５０の位置座標（ｘ、ｙ）を送信部５８に出力する。
【０１５１】
送信部５８は、電気信号をエンコードし、エンコード後の信号を例えば赤外線等の無線信号に変換して発信する発信回路を有する（図示せず）。そして、電子ペン５０に個別に付与されている固有の識別番号（ＩＤ）、電子ペン５０の描画モードＳ０（例えば描画に用いる線の色、線の太さ、線の種類、等）、接触スイッチ５３の状態Ｓ１、手動スイッチ８３の状態Ｓ１’、アタッチメント検出スイッチの状態Ｓ２、座標算出部５７が算出した電子ペン５０の位置座標（ｘ、ｙ）を表す信号等をそれぞれエンコードした後に無線信号に変換し、描画装置４０の受信部４２に無線送信する。
【０１５２】
受信コイル９１は、例えばドラムコア型のコイル（Ｄｒｕｍ  Ｃｏｒｅ  Ｉｎｄｕｃｔｏｒ）である。
【０１５３】
本実施の形態における電子ペン５０は、後述する充電器からの電磁誘導による非接触給電によって、充電式電池９３を充電する。受信コイル９１は、この電磁誘導による誘導電流を生じさせるためのコイルである。
【０１５４】
詳細は後述するが、この充電器は、充電用送電コイル（以下、単に「送電コイル」と記す）として空芯型コイル（Ａｉｒ  Ｃｏｒｅ  Ｉｎｄｕｃｔｏｒ）を有する。また、この充電器は、電子ペン５０を挿入するための筒型の挿入孔（挿入筒）を備えている。この挿入筒は送電コイルの空芯部を貫通しており、電子ペン５０を充電器の挿入筒に挿入したときに、受信コイル９１がこの送電コイルの空芯内に配置された状態で保持されるように充電器および電子ペン５０は構成されている。これにより、充電器の送電コイルに電流が流れることで、電磁誘導により、受信コイル９１に誘導電流が流れる。
【０１５５】
充電用電力発生部９２は、受信コイル９１に流れる誘導電流を、充電式電池９３に充電可能な直流電圧に変換し、充電式電池９３に充電する。
【０１５６】
充電式電池９３は、鉛蓄電池やリチウムイオン二次電池等の一般に用いられている充電可能な二次電池であり、充電用電力発生部９２から供給される直流電圧の電力を充電する。そして、充電式電池９３は、電子ペン５０の電力源として使用される。
【０１５７】
次に、描画装置４０について説明する。
【０１５８】
描画装置４０は、電子ペン５０の座標算出部５７が算出した位置座標（ｘ、ｙ）および描画モードＳ０等にもとづく描画信号を作成し、画像表示装置３０に出力する。この描画信号は、使用者が手書き入力した画像や、ポインタとして使用するカーソルをパネル１０に表示するための信号であり、画像信号と実質的に同じものである。
【０１５９】
図１に示したように、描画装置４０は、受信部４２と描画部４６を備えている。
【０１６０】
受信部４２は、電子ペン５０の送信部５８から無線送信される無線信号を受信し、その受信信号をデコードして電気信号に変換する変換回路を有する（図１には示さず）。そして、送信部５８から無線送信される無線信号を、電子ペン５０の識別番号（ＩＤ）、描画モードＳ０、状態Ｓ１、Ｓ１’、Ｓ２、位置座標（ｘ、ｙ）を表す信号に変換して描画部４６に出力する。電子ペン５０が複数のときは、各電子ペン５０から送信されてくる各信号をそれぞれ受信してデコードする。
【０１６１】
なお、電子ペン５０の描画モードＳ０、状態Ｓ１、Ｓ１’、Ｓ２、位置座標（ｘ、ｙ）を表す信号は時間ｔによって変化する変数であるため、以下、受信部４２から出力される各信号を、描画モードＳ０（ｔ）、状態Ｓ１（ｔ）、状態Ｓ１’（ｔ）、状態Ｓ２（ｔ）、位置座標（ｘ（ｔ）、ｙ（ｔ））と記す。
【０１６２】
描画部４６は、画像メモリ４７を備える。そして、描画部４６は、座標算出部５７が算出した位置座標（ｘ（ｔ）、ｙ（ｔ））に対応する画素を中心に、描画モードＳ０（ｔ）に応じた色および大きさの描画パターン（例えば、白色の丸等のパターン）の描画信号を作成し、画像メモリ４７に書込む。
【０１６３】
描画部４６は、状態Ｓ１（ｔ）＝１（接触スイッチ５３がオンの状態）、または状態Ｓ２（ｔ）＝１かつ状態Ｓ１’（ｔ）＝１（アタッチメント８０が電子ペン５０に装着され、かつ描画用の手動スイッチ８３がオンの状態）のときには、作成した描画信号を画像メモリ４７に蓄積する。したがって、これらの状態が維持されている期間は、電子ペン５０の過去の位置座標の軌跡に現在の電子ペン５０の位置座標が加えられた描画信号が画像メモリ４７に蓄積される。
【０１６４】
また、描画部４６は、状態Ｓ１（ｔ）＝０（接触スイッチ５３がオフの状態）、または状態Ｓ２（ｔ）＝１かつ状態Ｓ１’（ｔ）＝０（アタッチメント８０が電子ペン５０に装着され、かつ描画用の手動スイッチ８３がオフの状態）のときには、１フィールド前の位置座標（ｘ（ｔ−１）、ｙ（ｔ−１））に対応する描画信号を画像メモリ４７から消去する。したがって、これらの状態が維持されている期間に画像メモリ４７に蓄積される描画信号は、接触スイッチ５３がオンの状態であったとき、またはアタッチメント８０が電子ペン５０に装着され、かつ描画用の手動スイッチ８３がオンの状態であったときの電子ペン５０の位置座標の過去の軌跡と、電子ペン５０の現在の位置座標を表す信号（ポインタ機能）になる。
【０１６５】
また、描画部４６は、状態Ｓ１（ｔ）＝０かつ状態Ｓ２（ｔ）＝０（接触スイッチ５３がオフの状態であり、アタッチメント８０が電子ペン５０に装着されていない）、かつ描画消去用のスイッチ（図示せず）がオンの状態のときには、画像メモリ４７に蓄積されている描画信号を、受光素子５４の受光信号から算出した位置座標（ｘ（ｔ）、ｙ（ｔ））にもとづき画像メモリ４７から消去する（消去機能）。
【０１６６】
画像表示システム１００で使用されている電子ペン５０の数が複数であれば、描画部４６は、各電子ペン５０の軌跡が互いに混同しないように位置座標（ｘ（ｔ）、ｙ（ｔ））を互いに区別して、各電子ペン５０に対して上述の動作を行う。
【０１６７】
そして、描画部４６は、画像メモリ４７に蓄積された描画信号を画像表示装置３０に出力する。
【０１６８】
次に、電子ペン５０およびアタッチメント８０について、図６〜図１０を用いて説明する。
【０１６９】
図６は、本発明の実施の形態における電子ペン５０および電子ペン用アタッチメント８０の外観を示す斜視図である。
【０１７０】
図７は、本発明の実施の形態における電子ペン用アタッチメント８０を装着した電子ペン５０の外観を示す斜視図である。
【０１７１】
図８は、本発明の実施の形態における電子ペン５０の外観を示す四面図である。図８には、電子ペン５０の平面図、正面図、左側面図、右側面図を示す。
【０１７２】
図９は、本発明の実施の形態における電子ペン５０の内部構造を示す斜視図である。
【０１７３】
図１０は、本発明の実施の形態における電子ペン用アタッチメント８０を装着した電子ペン５０の断面図である。図１０には、電子ペン用アタッチメント８０を装着した電子ペン５０の平面断面図、正面断面図を示す。
【０１７４】
なお、図１０には、電子ペン５０の長手方向の長さ（以下、単に「電子ペン５０の長さ」と記す）を「Ｌ」と示す。本実施の形態において、電子ペン５０の長さＬは、例えば、約２０ｃｍであるが、電子ペン５０は何ら長さＬが２０ｃｍに限定されるものではない。
【０１７５】
図６〜図８に示すように、電子ペン５０は、筒型の本体ケース６０、近接側ペン先カバー６１、遠隔側ペン先カバー６２、近接側ペン先部６４、および遠隔側ペン先部６５を有する。
【０１７６】
図９、図１０に示すように、受光素子５２は、電子ペン５０の長手方向の一方の端部（近接側の端部）に設けられ、受光素子５４は、電子ペン５０の長手方向の他方の端部（遠隔側の端部）に設けられている。
【０１７７】
図８、図１０に示すように、近接側ペン先部６４は、内部に空洞が形成されており、受光素子５２のための受光孔６７が設けられている。そして、近接側ペン先部６４は、受光素子５２を空洞内に納めるように電子ペン５０の近接側の端部に配置され、近接側ペン先カバー６１によって本体ケース６０に固定されている。近接側ペン先部６４がパネル１０の表面に接しているときは、パネル１０に生じる発光は、この受光孔６７を通って受光素子５２に届く。
【０１７８】
遠隔側ペン先部６５は、内部に空洞が形成されており、受光素子５４のための受光孔６８が設けられている。そして、遠隔側ペン先部６５は、受光素子５４を空洞内に納めるように電子ペン５０の遠隔側の端部に配置され、遠隔側ペン先カバー６２によって本体ケース６０に固定されている。
【０１７９】
図６、図８に示すように、遠隔側ペン先カバー６２には、アタッチメント８０を固定するためのリム６３が設けてある。
【０１８０】
アタッチメント８０は、筒型の形状であり、一方の端部に集光レンズ８４を有し、他方の端部には、筒内に、リム６３と嵌合するフランジ８９が設けてある。そして、図１０に示すように、フランジ８９とリム６３が嵌合するようにアタッチメント８０を電子ペン５０に装着することで、アタッチメント８０は電子ペン５０の遠隔側の端部に着脱可能に固定される。
【０１８１】
アタッチメント８０は、電子ペン５０に装着されたときに、集光レンズ８４の光軸上の焦点距離に受光素子５４が位置するように、アタッチメント８０の本体の長さ、集光レンズ８４の設置位置、および集光レンズ８４の焦点距離が設定されている。
【０１８２】
そして、アタッチメント８０を装着した電子ペン５０の遠隔側端部（遠隔側の光軸）をパネル１０の方向に向けることで、パネル１０に生じる発光は、アタッチメント８０の集光レンズ８４および受光孔６８を通って受光素子５４に届く。
【０１８３】
なお、電子ペン５０は、アタッチメント８０を電子ペン５０に装着したときにオンとなってＳ２＝「１」を出力し、アタッチメント８０が電子ペン５０に装着されていなければオフとなってＳ２＝「０」を出力するアタッチメント検出スイッチ８６を備えている。アタッチメント８０を電子ペン５０の遠隔側の端部に装着すると、図１０に示すように、アタッチメント８０の端部がアタッチメント検出スイッチ８６に被さる。これによりアタッチメント検出スイッチ８６が押下されてアタッチメント８０の装着が検出される。
【０１８４】
なお、近接側ペン先部６４および遠隔側ペン先部６５は、使用時にパネル１０の表面を傷つけないように、比較的軟らかく適度な剛性を有する素材、例えばポリアセタールで形成されているが、この素材はポリアミドやフッ素樹脂等であってもよい。
【０１８５】
本体ケース６０には、図６〜図１０に示すように、本体ケース６０上面側に、電源スイッチ８１、電源スイッチ８１と一体に設けられたパイロットランプ８２、複数の押し込み型の手動スイッチ８３が設けられている。また、本体ケース６０背面側の遠隔側端部近傍に、押し込み型のアタッチメント検出スイッチ８６と、転がり防止用のリブ８５が設けられている。リブ８５は、本体ケース６０から突起した鰭状の形状を有し、電子ペン５０の転がり防止用として機能する。なお、リブ８５には、図８に示すようにストラップ用の孔を設けてもよい。
【０１８６】
電子ペン５０は、近接使用時と遠隔使用時とで持ち替えて使用されるため、本実施の形態では、使用者の使い勝手を考慮して、各部品をこのような位置に配置している。
【０１８７】
図８に示すように、電子ペン５０の中央から近接側端部までの最大外径はＤａである。本実施の形態において、これは本体ケース６０の最大外径に等しい。一方、電子ペン５０の中央から遠隔側端部までの最大外径はＤｍａｘであり、ＤｍａｘはＤａよりも大きい。これは、電子ペン５０の中央から遠隔側端部までの間に、本体ケース６０の表面から最も突出している部品であるリブ８５が配置されているためである。本実施の形態では、例えば、Ｄａは約１７ｍｍであり、Ｄｍａｘは約２１ｍｍである。
【０１８８】
本実施の形態では、電子ペン５０の外部形状を、ＤａよりもＤｍａｘの方が大きくなるように形成する。これは、後述する充電器の挿入筒に電子ペン５０の遠隔側が誤挿入されるのを防止するためである。
【０１８９】
したがって、この誤挿入を防止するために、例えば、近接側と遠隔側とで本体ケース６０の外形寸法を変える、遠隔側ペン先カバー６２を近接側ペン先カバー６１よりも大きくする、等して、電子ペン５０の形状自体を、電子ペン５０の中央から遠隔側端部までの最大外径が、電子ペン５０の中央から近接側端部までの最大外径よりも大きくなるようにしてもよい。
【０１９０】
本体ケース６０の内部には、図９、図１０に示すように、複数（または単数）の基板７８が備えられている。基板７８には、上述した同期検出部５６、座標算出部５７、送信部５８、充電用電力発生部９２等の各動作を実行する回路やマイクロコンピュータ等が搭載されており（図示せず）、また、受光素子５２、５４、接触スイッチ５３、電源スイッチ８１、パイロットランプ８２、複数の手動スイッチ８３、アタッチメント検出スイッチ８６等の各部品が設置されている。
【０１９１】
電子ペン５０は、本体ケース６０の内部に、電力供給源として、単数（または複数）の充電式電池９３を備えており、充電式電池９３は、電池ケース７９内に着脱可能に収納されている。
【０１９２】
さらに、電子ペン５０は、本体ケース６０の内部にドラムコア型の受信コイル９１を有する。受信コイル９１には、後述する充電器からの電磁誘導による誘導電流が流れる。これにより、電子ペン５０は充電器から非接触給電を受けることができる。受信コイル９１は、基板７８上に設けられた固定枠７７によって、受信コイル９１の中心が電子ペン５０の中心（図１０に一点鎖線で示す）とほぼ一致するように、基板７８上に固定されている。これは、非接触給電時の電力変換効率の低下を防止するためである。
【０１９３】
本実施の形態では、受信コイル９１に、外径が約１０ｍｍ、高さが約１２ｍｍ、インダクタンスが約５０μＨのドラムコア型コイルを用いている。しかし、これらの数値は、電子ペン５０の大きさや充電システムの仕様等に応じて最適に設定することが望ましい。
【０１９４】
なお、電子ペン５０を近接使用するときは、電子ペン５０の近接側先端部をパネル１０に接触させる。そのとき、電子ペン５０は、ペンを持つときの持ち方で使用されることが比較的多いと想定される。このことから、電子ペン５０は、ペンを持つときの持ち方をされたときに使用しやすい重心バランスになるように、重心位置を設定することが望ましい。本実施の形態では、これらのことを考慮して受信コイル９１の配置位置を設定し、電子ペン５０の近接側先端部からＬ／４までの間には受信コイル９１を配置しないものとする。
【０１９５】
次に、本実施の形態における充電器について、図１１〜図１３を用いて説明する。
【０１９６】
図１１は、本発明の実施の形態における電子ペン５０を挿入した電子ペン用充電器１１０の外観を示す斜視図である。
【０１９７】
図１２は、本発明の実施の形態における電子ペン用充電器１１０の内部構造を概略的に示す透視図である。
【０１９８】
図１３は、本発明の実施の形態における電子ペン５０を電子ペン用充電器１１０に挿入したときの受信コイル９１と送電コイル１２２の配置位置を概略的に示す透視図である。
【０１９９】
図１１〜図１３に示すように、充電器１１０は、円筒形の形状をした充電器ケース１２０を筐体として有する。充電器ケース１２０には、電子ペン５０を挿入するための挿入筒１１３が設けられている。また、充電器ケース１２０は、接続端子１１１、１１２を有し、充電器１１０の内部回路は、この接続端子１１１、１１２を介して、外部電源やコンピュータ等（図示せず）に接続される。
【０２００】
挿入筒１１３は、入り口の直径Ｄｂが、上述したＤａよりも大きく、Ｄｍａｘよりも小さくなるように形成されている。例えば、本実施の形態では、直径Ｄｂは約２０ｍｍである。これは、Ｄａよりも約３ｍｍ大きく、Ｄｍａｘよりも約１ｍｍ小さい。これにより、挿入筒１１３に電子ペン５０の遠隔側が誤挿入されることを防止している。
【０２０１】
また、図１２に示すように、充電器ケース１２０は、電子ペン５０の長さＬの半分よりやや大きい約（Ｌ／２＋Ｌｄ）の高さに設定されている。ただし、挿入筒１１３の底と充電器ケース１２０の底面との間がＬｄだけ離間しているため、挿入筒１１３の深さは約（Ｌ／２）である。したがって、挿入筒１１３内に電子ペン５０を挿入すると、電子ペン５０の約半分（近接側の長さ（Ｌ／２）の部分）が挿入筒１１３内に収められ、電子ペン５０の約半分（遠隔側の長さ（Ｌ／２）の部分）は充電器ケース１２０から突出する。本実施の形態において、Ｌｄは、例えば約１ｃｍである。
【０２０２】
これは、充電器１１０に電子ペン５０を挿入したときの安定性、充電器１１０から電子ペン５０を取り出すときの取り出しやすさ等を考慮すると、挿入筒１１３の深さを電子ペン５０の約半分（約Ｌ／２）程度にすることが望ましいことが確認されたためである。
【０２０３】
なお、本実施の形態の電子ペン５０は、遠隔側端部にアタッチメント８０を装着することができる。挿入筒１１３の直径を十分な大きさにすれば、アタッチメント８０を装着したまま電子ペン５０の遠隔側を挿入筒１１３に挿入することも可能である。しかし、充電器１１０から電子ペン５０への非接触給電時の電力変換効率を考慮すると、受信コイル９１と送電コイル１２２とができるだけ近接していることが望ましい。このことから、本実施の形態では、電子ペン５０の遠隔側ではなく近接側の方を充電器１１０の挿入筒１１３に挿入する構成としている。
【０２０４】
したがって、本実施の形態では、これらのことと、上述した電子ペン５０の持ちやすさとを考慮して、受信コイル９１を、図１０に示すように、電子ペン５０の長手方向の中心から近接側端部方向に電子ペン５０の長さＬの１／４までの間に配置するものとする。
【０２０５】
図１２、図１３に示すように、充電器１１０は、充電器ケース１２０内に、基板１２１、送電コイル１２２、送電コイル固定台１２３を有する。
【０２０６】
基板１２１には、接続端子１１１、１１２を介して外部機器に接続される回路またはマイクロコンピュータや、送電コイル１２２に電流を流す送電側電力発生部の動作を実行する回路等（図示せず）が搭載されている。送電側電力発生部については後述する。また、基板１２１には、接続端子１１１、１１２等も設置されている。
【０２０７】
送電コイル固定台１２３は、挿入筒１１３の直径よりもやや大きい穴部（図示せず）を有し、この穴部に挿入筒１１３を貫通させた状態で基板１２１に固定されている。
【０２０８】
送電コイル１２２は、空芯型のコイルであり、送電コイル１２２の空芯部に挿入筒１１３を貫通させた状態で送電コイル固定台１２３に固定され、基板１２１に搭載された送電側電力発生部と電気的に接続されている。また、送電コイル１２２は、図１３に示すように、電子ペン５０を充電器１１０の挿入筒１１３に挿入したときに、送電コイル１２２の空芯内に受信コイル９１が配置される位置に設置されている。そして、基板１２１に搭載された送電側電力発生部から送電コイル１２２に電流が流れることで、送電コイル１２２の空芯内に配置された受信コイル９１に誘導電流が流れ、電子ペン５０の充電式電池９３が充電される。
【０２０９】
本実施の形態では、送電コイル１２２に、内径が約２０ｍｍ、外径が約２８ｍｍ、高さが約２０ｍｍ、インダクタンスが約１０μＨのコイルを用いている。しかし、これらの数値は、電子ペン５０の大きさや充電器１１０の大きさ、充電システムの仕様等に応じて最適に設定することが望ましい。
【０２１０】
以上が、本実施の形態における電子ペン５０および充電器１１０を構成要素に含む電子ペン充電システムの構成である。
【０２１１】
なお、本実施の形態における電子ペン充電システムを上述の構成としたのは、以下の理由による。
【０２１２】
従来の非接触給電による充電システムでは、受電側機器の端部（例えば、底部）に平面コイルを設けるとともに送電側機器にも平面コイルを設け、平面コイル同士が互いに相対するように受信側機器を送電側機器に設置し、送電側機器の平面コイルに電流を流すことで受電側機器の平面コイルに誘導電流を流す構成が一般的である。しかし、本実施の形態に示す電子ペン５０は、一方の端部に受光素子５２を設け、他方の端部に受光素子５４を設けているため、電子ペン５０内部（端部）に平面コイルを設置することが困難である。
【０２１３】
そこで、本実施の形態における電子ペン充電システムでは、電子ペン５０の内部に平面コイルではなくドラムコア型の受信コイル９１を設け、充電器１１０には平面コイルではなく空芯型の送電コイル１２２を設けるとともに、電子ペン５０を充電器１１０の挿入筒１１３に挿入したときに、送電コイル１２２の空芯内に受信コイル９１が配置されるように、電子ペン５０と充電器１１０とを構成する。この構成により、平面コイルを用いずとも、送電コイル１２２から受信コイル９１への電磁誘導により受信コイル９１に誘導電流を流し、電子ペン５０の充電式電池９３を非接触給電で充電することが可能となる。
【０２１４】
なお、本実施の形態において、受信コイル９１は何らドラムコア型のコイルに限定されるものではない。受信コイル９１は、送電コイル１２２の空芯内に配置することができ、送電コイル１２２からの電磁誘導による誘導電流を流すことができるコイルであればよい。
【０２１５】
次に、電子ペン５０の充電用電力発生部９２について説明する。
【０２１６】
図１４は、本発明の実施の形態における電子ペン５０の充電用電力発生部９２を構成する回路ブロックの一例を概略的に示す図である。
【０２１７】
なお、図１４には、受信コイル９１および充電式電池９３をあわせて示すが、電子ペン５０に備えられた他の回路ブロックは省略している。
【０２１８】
図１４に示すように、充電用電力発生部９２は、全波整流回路１３４、直流電圧発生部１３０、降圧回路１３５を有する。
【０２１９】
全波整流回路１３４は、一般に用いられている全波整流回路と同様の構成であり、受信コイル９１に流れる交流電流（正電流と負電流）の負電流を正電流にする。
【０２２０】
直流電圧発生部１３０は、過電圧保護回路１３１、過電流保護回路１３２、ＤＣ／ＤＣ制御回路１３３を備えており、一般に用いられている直流電圧発生回路と同様に、全波整流回路１３４から出力される全波整流された電流を直流電圧に変換する。
【０２２１】
ＤＣ／ＤＣ制御回路１３３は、直流電圧発生部１３０から出力される電圧を後段の降圧回路１３５に適した電圧に制御する。過電圧保護回路１３１および過電流保護回路１３２は、直流電圧発生部１３０に過電圧または過電流が発生したときに、直流電圧発生部１３０の動作を止める等して、定格値を超える電流または電圧が充電用電力発生部９２に生じることを防止する。
【０２２２】
降圧回路１３５は、直流電圧発生部１３０から出力される直流電圧を、充電式電池９３の充電に適した電圧（例えば５（Ｖ））に変換する。そして、変換後の電圧で充電式電池９３を充電する。
【０２２３】
次に、充電器１１０の送電側電力発生部１４０について説明する。
【０２２４】
図１５は、本発明の実施の形態における電子ペン用充電器１１０の送電側電力発生部１４０を構成する回路ブロックの一例を概略的に示す図である。
【０２２５】
なお、図１５には、送電コイル１２２をあわせて示すが、充電器１１０に備えられた他の回路ブロックは省略している。
【０２２６】
図１５に示すように、送電側電力発生部１４０は、送信電力発生部１４１と送電コイル駆動回路１４２を有する。
【０２２７】
送信電力発生部１４１は、ＩＤ検出回路１４３、異物検出回路１４４、過電圧保護回路１４５、過電流保護回路１４６を備えており、一般に用いられている非接触給電用電力発生回路と同様に、家庭用電源やコンピュータの外部出力端子等の外部電力源から供給される電力から、送電コイル１２２を介して電子ペン５０に非接触給電するための電力を発生する。
【０２２８】
ＩＤ検出回路１４３は、挿入筒１１３に挿入される電子ペン５０から識別番号（ＩＤ）を読み取り、読み取ったＩＤをＩＤ検出回路１４３に事前登録されたＩＤと比較する。そして、読み取ったＩＤが事前登録されたＩＤでなければ、あるいはＩＤを読み取れないときは、送信電力発生部１４１の動作を停止する。
【０２２９】
異物検出回路１４４は、送電コイル１２２に流れる電流の大きさをあらかじめ設定されたしきい値と比較し、挿入筒１１３に金属棒等の異物が挿入されていないかどうかを検出する。そして、しきい値を越える電流を検出したときは、挿入筒１１３に異物が挿入されたと判断して、送信電力発生部１４１の動作を停止する。
【０２３０】
過電圧保護回路１４５、過電流保護回路１４６は、送信電力発生部１４１に過電圧または過電流が発生したときに、送信電力発生部１４１の動作を止める等して、定格値を超える電流または電圧が送電側電力発生部１４０に生じることを防止する。
【０２３１】
送電コイル駆動回路１４２は、送信電力発生部１４１で発生した電力を交流電流に変換し、その交流電流を送電コイル１２２に流す。
【０２３２】
次に、本実施の形態における画像表示システム１００の動作について説明する。
【０２３３】
図１６は、本発明の実施の形態における画像表示システム１００において近接使用時の電子ペン５０の位置座標を検出するときの動作の一例を概略的に示す図である。
【０２３４】
図１６には、電子ペン５０の近接側（受光素子５２を設けた側）の先端部をパネル１０に接触（または近接）させて使用するときの電子ペン５０の位置座標を検出するときの動作の一例を示す。
【０２３５】
図１７は、本発明の実施の形態における画像表示システム１００において遠隔使用時の電子ペン５０の位置座標を検出するときの動作の一例を概略的に示す図である。
【０２３６】
図１７には、電子ペン５０の遠隔側（受光素子５４を設けた側）の先端部にアタッチメント８０を装着し、パネル１０から離れた位置で電子ペン５０を使用するときの電子ペン５０の位置座標を検出するときの動作の一例を示す。
【０２３７】
図１８は、本発明の実施の形態における画像表示システム１００において電子ペン５０の位置座標を検出するときの駆動電圧波形の一例を概略的に示す図である。
【０２３８】
図１８には、走査電極ＳＣ１、ＳＣｎ、データ電極Ｄ１、Ｄｍのそれぞれに印加する駆動電圧波形、座標算出部５７に入力される座標基準信号、および受光素子５２（または受光素子５４）から出力される受光信号を示す。なお、図１８に示す駆動電圧波形は、図４、図５に示した駆動電圧波形と同じものである。
【０２３９】
本実施の形態における画像表示装置３０では、時刻ｔｏ１から時刻ｔｙ０までの時間Ｔｏｙはあらかじめ定められており、時刻ｔｏ１から時刻ｔｘ０までの時間Ｔｏｘはあらかじめ定められている。
【０２４０】
したがって、同期検出部５６は、時刻ｔｏ１を特定できれば、図１８に示すように、時刻ｔｙ０と時刻ｔｘ０とのそれぞれに立上りエッジがある座標基準信号を発生し、座標算出部５７に出力することができる。
【０２４１】
時刻ｔｏ１は、上述したように、同期検出部５６が、発光の間隔が順に時間Ｔｏ０、時間Ｔｏ１、時間Ｔｏ２、時間Ｔｏ３となる連続する５回の発光（これらの発光にもとづき受光素子５２から出力される受光信号）を検出することで、特定される。
【０２４２】
ｙ座標検出サブフィールドＳＦｙのｙ座標検出期間Ｐｙにおいては、ｘ座標方向（行方向）に延長した線状の発光（第１の発光線Ｌｙ）がｙ座標方向（列方向）に順次移動するｙ座標検出パターンをパネル１０に表示する。これにより、パネル１０の画像表示領域には、図１６、図１７に示すように、画像表示領域の上端部（１行目）から下端部（ｎ行目）まで順次移動する第１の発光線Ｌｙが表示される。
【０２４３】
図１６に示す例では、電子ペン５０の近接側の先端部がパネル１０の画像表示面の「座標（ｘ、ｙ）」に接触（または近接）していれば、第１の発光線Ｌｙが座標（ｘ、ｙ）を通過する時刻ｔｙｙにおいて、電子ペン５０の受光素子５２は第１の発光線Ｌｙの発光を受光する。これにより、電子ペン５０は、図１８に示すように、受光素子５２が第１の発光線Ｌｙの発光を受光したことを示す受光信号を時刻ｔｙｙにおいて出力する。
【０２４４】
図１７に示す例では、電子ペン５０の遠隔側端部に装着したアタッチメント８０の光軸がパネル１０の画像表示面の「座標（ｘ、ｙ）」に向いていれば、第１の発光線Ｌｙが座標（ｘ、ｙ）を通過する時刻ｔｙｙにおいて、電子ペン５０の受光素子５４は第１の発光線Ｌｙの発光を受光する。これにより、電子ペン５０は、図１８に示すように、受光素子５４が第１の発光線Ｌｙの発光を受光したことを示す受光信号を時刻ｔｙｙにおいて出力する。
【０２４５】
続くｘ座標検出サブフィールドＳＦｘのｘ座標検出期間Ｐｘにおいては、ｙ座標方向（列方向）に延長した線状の発光（第２の発光線Ｌｘ）がｘ座標方向（行方向）に順次移動するｘ座標検出パターンをパネル１０に表示する。これにより、パネル１０の画像表示領域には、図１６、図１７に示すように、画像表示領域の左端部（１列目の画素列）から右端部（ｍ／３列目の画素列）まで順次移動する第２の発光線Ｌｘが表示される。
【０２４６】
図１６に示す例では、電子ペン５０の近接側の先端部がパネル１０の画像表示面の「座標（ｘ、ｙ）」に接触（または近接）していれば、第２の発光線Ｌｘが座標（ｘ、ｙ）を通過する時刻ｔｘｘにおいて、電子ペン５０の受光素子５２は第２の発光線Ｌｘの発光を受光する。これにより、電子ペン５０は、図１８に示すように、受光素子５２が第２の発光線Ｌｘの発光を受光したことを示す受光信号を時刻ｔｘｘにおいて出力する。
【０２４７】
図１７に示す例では、電子ペン５０の遠隔側端部に装着したアタッチメント８０の光軸がパネル１０の画像表示面の「座標（ｘ、ｙ）」に向いていれば、第２の発光線Ｌｘが座標（ｘ、ｙ）を通過する時刻ｔｘｘにおいて、電子ペン５０の受光素子５４は第２の発光線Ｌｘの発光を受光する。これにより、電子ペン５０は、図１８に示すように、受光素子５４が第２の発光線Ｌｘの発光を受光したことを示す受光信号を時刻ｔｘｘにおいて出力する。
【０２４８】
図１に示した座標算出部５７は、ｙ座標検出サブフィールドＳＦｙのｙ座標検出期間Ｐｙにおいて同期検出部５６から出力される座標基準信号と、受光素子５２（または受光素子５４）から出力される受光信号にもとづき、内部に備えたカウンタを用いて時刻ｔｙ０から時刻ｔｙｙまでの時間Ｔｙｙを測定する。そして、内部に備えた演算回路において、時間Ｔｙｙを時間Ｔｙ１で除算する。この除算結果が画像表示領域における電子ペン５０の位置のｙ座標となる。
【０２４９】
また、座標算出部５７は、ｘ座標検出サブフィールドＳＦｘのｘ座標検出期間Ｐｘにおいて同期検出部５６から出力される座標基準信号と、受光素子５２（または受光素子５４）から出力される受光信号にもとづき、内部に備えたカウンタを用いて時刻ｔｘ０から時刻ｔｘｘまでの時間Ｔｘｘを測定する。そして、内部に備えた演算回路において、時間Ｔｘｘを時間Ｔｘ１で除算する。この除算結果が画像表示領域における電子ペン５０の位置のｘ座標となる。
【０２５０】
本実施の形態における座標算出部５７は、このようにして、画像表示領域における電子ペン５０の位置（座標（ｘ、ｙ））を算出する。
【０２５１】
なお、図示はしないが、例えば上述したように、１フィールドに、近接用ｙ座標検出サブフィールドＳＦｙ１と遠隔用ｙ座標検出サブフィールドＳＦｙ２の２つのｙ座標検出サブフィールドＳＦｙと、近接用ｘ座標検出サブフィールドＳＦｘ１と遠隔用ｘ座標検出サブフィールドＳＦｘ２の２つのｘ座標検出サブフィールドＳＦｘを設ける構成では、遠隔使用時に受光素子５４が受光する発光は、第１の発光線Ｌｙに代えて、隣接する複数本（例えば、８本）の画素行が同時に発光する「第３の発光線Ｌｙ２」となり、第２の発光線Ｌｘに代えて、隣接する複数本（例えば、８本）の画素列が同時に発光する「第４の発光線Ｌｘ２」となる。受光素子５４は、第１の発光線Ｌｙよりも発光輝度が大きい第３の発光線Ｌｙ２の発光を受光し、第２の発光線Ｌｘよりも発光輝度が大きいおよび第４の発光線Ｌｘ２の発光を受光することができるので、使用者は電子ペン５０をより安定に遠隔使用することが可能となる。
【０２５２】
図１９は、本発明の実施の形態における画像表示システム１００において電子ペン５０による手書き入力を行うときの動作の一例を概略的に示す図である。
【０２５３】
なお、図１９には電子ペン５０を近接使用するときの例を示すが、電子ペン５０にアタッチメント８０を装着して遠隔使用するときの動作は、接触スイッチ５３に代えて描画用の手動スイッチ８３を用いる以外は近接使用時と同様であるので、図面を用いての説明を省略する。
【０２５４】
描画部４６は、座標算出部５７が算出した位置座標（ｘ（ｔ）、ｙ（ｔ））に対応する画素を中心に、描画モードＳ０（ｔ）に応じた色および大きさの描画パターン（例えば、白色の丸等のパターン、以下、「カーソル１０１」と記す）の描画信号を発生する。この描画信号は描画部４６の画像メモリ４７に順次書込まれ、状態Ｓ１（ｔ）＝１（接触スイッチ５３がオンの状態）、または状態Ｓ２（ｔ）＝１かつ状態Ｓ１’（ｔ）＝１（アタッチメント８０が電子ペン５０に装着され、かつ描画用の手動スイッチ８３がオンの状態）の期間の描画信号は画像メモリ４７に蓄積される。そして、画像表示装置３０は、描画部４６の画像メモリ４７に蓄積された描画信号にもとづく画像をパネル１０に表示する。
【０２５５】
したがって、例えば図１９に示すように、使用者が電子ペン５０の近接側の先端部をパネル１０の画像表示面に接触させたまま移動させると（遠隔使用時には、描画用の手動スイッチ８３をオンにしたまま電子ペン５０の位置座標を移動させると）、その移動の軌跡を示す図柄がパネル１０に表示される。こうして、パネル１０には、電子ペン５０を用いて手書き入力された図画が表示される。
【０２５６】
図２０は、本発明の実施の形態における画像表示システム１００において電子ペン５０をポインタとして使用するときの動作の一例を概略的に示す図である。
【０２５７】
なお、図２０には電子ペン５０を遠隔使用するときの例を示すが、電子ペン５０を近接使用するときの動作は、描画用の手動スイッチ８３に代えて接触スイッチ５３を用いる以外は遠隔使用時と同様であるので、図面を用いての説明を省略する。
【０２５８】
本実施の形態では、電子ペン５０にアタッチメント８０を装着して遠隔使用するときに描画用の手動スイッチ８３をオンにしなければ（あるいは近接使用時に接触スイッチ５３をオンにしなければ）、電子ペン５０をポインタとして使用することが可能である。
【０２５９】
状態Ｓ２（ｔ）＝１かつ状態Ｓ１’（ｔ）＝０（アタッチメント８０が電子ペン５０に装着され、かつ描画用の手動スイッチ８３がオフの状態）の期間は受光素子５４がパネル１０の発光を受光できれば（または、状態Ｓ１（ｔ）＝０（接触スイッチ５３がオフの状態）の期間は受光素子５２がパネル１０の発光を受光できれば）、描画部４６は、電子ペン５０の現時点の描画信号（位置座標（ｘ（ｔ）、ｙ（ｔ））、および描画モードＳ０（ｔ）にもとづく描画信号）を画像メモリ４７に書込むとともに、１フィールド前の描画信号（位置座標（ｘ（ｔ−１）、ｙ（ｔ−１））にもとづく描画信号）を画像メモリ４７から消去する。
【０２６０】
したがって、例えば、遠隔使用時に使用者が描画用の手動スイッチ８３をオフにしたまま電子ペン５０の位置座標を移動させると（あるいは、近接使用時に近接側の先端部をパネル１０に接触させずに移動させると）、その間の移動の軌跡はパネル１０に表示されず、電子ペン５０の現在の位置座標を示すカーソル１０１が、パネル１０に表示される。
【０２６１】
このようにして、電子ペン５０をポインタとして用いることも可能である。
【０２６２】
なお、電子ペン５０の受光素子５２、５４がパネル１０の発光を受光できないときには、パネル１０にカーソル１０１を表示しない、あるいは、受光素子５２または受光素子５４がパネル１０の発光を最後に受光したときの座標位置にカーソル１０１を表示する、等、適切に設定すればよい。
【０２６３】
以上説明したように、本実施の形態における電子ペン充電システムでは、電子ペン５０内にドラムコア型の受信コイル９１を設けるとともに充電器１１０内に空芯型の送電コイル１２２を設ける。そして、電子ペン５０を充電器１１０の挿入筒１１３に挿入したときに受信コイル９１が送電コイル１２２の空芯内に配置されるように電子ペン５０および充電器１１０を構成する。これにより、両端に受光素子５２、５４を有するために平面コイルを設けることが困難な電子ペン５０においても、充電器１１０からの非接触給電によって電子ペン５０を充電することが可能となる。したがって、電子ペン５０を容易に充電することができ、使用者の利便性を向上することができる。
【０２６４】
なお、本実施の形態では、接触スイッチ５３を電子ペン５０の先端部に取付ける構成を説明したが、例えば、接触スイッチ５３に相当する手動スイッチを電子ペン５０の側面等に設け、近接使用時においても使用者が手動スイッチのオン・オフにより描画を行えるように構成してもよい。
【０２６５】
なお、本実施の形態では、描画装置４０と電子ペン５０との間で無線通信を行う例を説明したが、本発明は何らこの構成に限定されない。例えば、描画装置と電子ペンとの間を電気ケーブル等によって電気的に接続し、その電気ケーブルを介して電子ペンと描画装置との間で信号の送受信を行う構成であってもよい。
【０２６６】
なお、本実施の形態では、遠隔側ペン先カバー６２に設けたリム６３と、アタッチメント８０に設けたフランジ８９とを嵌合させて、アタッチメント８０を電子ペン５０に着脱可能に装着する構成を説明したが、本発明は何らこの構成に限定されるものではない。例えば、アタッチメント８０にねじ山を設けるとともに遠隔側ペン先カバー６２または本体ケース６０の遠隔側端部にねじ溝を設け、ねじ山をねじ溝にねじ込むことでアタッチメント８０を電子ペン５０の遠隔側の端部に着脱可能に装着する構成としてもよい。
【０２６７】
なお、本発明における実施の形態に示した各回路ブロックは、実施の形態に示した各動作を行う電気回路として構成されてもよく、あるいは、実施の形態に示した各動作と実質的に同じ動作をするようにプログラミングされたマイクロコンピュータ等を用いて構成されてもよい。
【０２６８】
なお、本発明の実施の形態において示した具体的な数値は、単に実施の形態における一例を示したものに過ぎず、本発明はこれらの数値に何ら限定されるものではない。各数値は電子ペン充電システムの仕様等にあわせて最適に設定することが望ましい。
【産業上の利用可能性】
【０２６９】
本開示は、充電を容易に行うことができ使用者の利便性を向上する電子ペン、電子ペン用充電器および電子ペン充電システムとして有用である。
【符号の説明】
【０２７０】
１０    パネル
１１    前面基板
１２    走査電極
１３    維持電極
１４    表示電極対
１５，２３    誘電体層
１６    保護層
２１    背面基板
２２    データ電極
２４    隔壁
２５，２５Ｒ，２５Ｇ，２５Ｂ    蛍光体層
３０    画像表示装置
３１    画像信号処理回路
３２    データ電極駆動回路
３３    走査電極駆動回路
３４    維持電極駆動回路
３５    タイミング発生回路
４０    描画装置
４２    受信部
４６    描画部
４７    画像メモリ
５０    電子ペン
５２，５４    受光素子
５３    接触スイッチ
５６    同期検出部
５７    座標算出部
５８    送信部
６０    本体ケース
６１    近接側ペン先カバー
６２    遠隔側ペン先カバー
６３    リム
６４    近接側ペン先部
６５    遠隔側ペン先部
６７，６８    受光孔
７７    固定枠
７８    基板
７９    電池ケース
８０    電子ペン用アタッチメント
８１    電源スイッチ
８２    パイロットランプ
８３    手動スイッチ
８４    集光レンズ
８５    リブ
８６    アタッチメント検出スイッチ
８９    フランジ
９１    （充電用）受信コイル
９２    充電用電力発生部
９３    充電式電池
１００    画像表示システム
１０１    カーソル
１１０    電子ペン用充電器
１１１，１１２    接続端子
１１３    挿入筒
１２０    充電器ケース
１２１    基板
１２２    （充電用）送電コイル
１２３    送電コイル固定台
１３０    直流電圧発生部
１３１    過電圧保護回路
１３２    過電流保護回路
１３３    ＤＣ／ＤＣ制御回路
１３４    全波整流回路
１３５    降圧回路
１４０    送電側電力発生部
１４１    送信電力発生部
１４２    送電コイル駆動回路
１４３    ＩＤ検出回路
１４４    異物検出回路
１４５    過電圧保護回路
１４６    過電流保護回路
Ｌｙ    第１の発光線
Ｌｘ    第２の発光線
ＳＦ１〜ＳＦ８    画像表示サブフィールド
ＳＦｏ    同期検出サブフィールド
ＳＦｙ    ｙ座標検出サブフィールド
ＳＦｘ    ｘ座標検出サブフィールド
【図１】
2014203143.tif 000003
【図２】
2014203143.tif 000004
【図３】
2014203143.tif 000005
【図４】
2014203143.tif 000006
【図５】
2014203143.tif 000007
【図８】
2014203143.tif 000008
【図１０】
2014203143.tif 000009
【図１４】
2014203143.tif 000010
【図１５】
2014203143.tif 000011
【図１６】
2014203143.tif 000012
【図１７】
2014203143.tif 000013
【図１８】
2014203143.tif 000014
【図１９】
2014203143.tif 000015
【図２０】
2014203143.tif 000016
【図６】
2014203143.tif 000017
【図７】
2014203143.tif 000018
【図９】
2014203143.tif 000019
【図１１】
2014203143.tif 000020
【図１２】
2014203143.tif 000021
【図１３】
2014203143.tif 000022